(57)【要約】【課題】ＭＲ信号を受信してのＭＲＩ用コイルの性能評価を行うと共にＭＲＩ用コイルから見たＭＲＩ用ファントムの電気的ロードの大きさを簡便に調整する。【解決手段】ロード液（３１ａ）の入ったバッグ（３１ｂ）からＭＲＩ用ファントム（１）の管路（２１）へロード液（３１ａ）を供給する。【効果】ＭＲ信号発生材料を含むＭＲＩ用ファントム（１）を用いるため、ＭＲ信号を受信してのＭＲＩ用コイルの性能評価を行うことが出来る。管路（２１）に充填するロード液（３１ａ）の量を調節することにより、ＭＲＩ用コイルから見たＭＲＩ用ファントム（１）の電気的ロードの大きさを簡便に調整することが出来る。【選択図】図１
2008136586.tif 000002
【特許請求の範囲】
【請求項１】
ＭＲ信号発生材料を含むＭＲＩ用ファントムに管路を設け、前記ＭＲ信号発生材料に比べるとＭＲ信号を発生せず且つＭＲＩ用コイルに対して電気的ロードとなるロード材料を含んだロード液を前記管路に充填し、前記管路に充填する前記ロード液の量および種類の少なくとも一方を変えて前記ＭＲＩ用コイルから見た前記ＭＲＩ用ファントムの電気的ロードの大きさを調整することを特徴とするＭＲＩ用ファントムの電気的ロード調整方法。
【請求項２】
ＭＲ信号発生材料を含むＭＲＩ用ファントムに多数の挿入孔を設け、前記ＭＲ信号発生材料に比べるとＭＲ信号を発生せず且つＭＲＩ用コイルに対して電気的ロードとなるロード材料を含んだロードロッドを前記挿入孔に挿入し、挿入するロードロッドの数、種類および場所の少なくとも一つを変えて前記ＭＲＩ用コイルから見た前記ＭＲＩ用ファントムの電気的ロードの大きさを調整することを特徴とするＭＲＩ用ファントムの電気的ロード調整方法。
【請求項３】
ＭＲ信号発生材料を含むＭＲＩ用ファントムに、前記ＭＲ信号発生材料に比べるとＭＲ信号を発生せず且つＭＲＩ用コイルに対して電気的ロードとなるロード材料を含んだロードリングを嵌め、嵌めるロードリングの数、種類および場所の少なくとも一つを変えて前記ＭＲＩ用コイルから見た前記ＭＲＩ用ファントムの電気的ロードの大きさを調整することを特徴とするＭＲＩ用ファントムの電気的ロード調整方法。
【請求項４】
ＭＲ信号発生材料を含むＭＲＩ用ファントムに、前記ＭＲ信号発生材料に比べるとＭＲ信号を発生せず且つＭＲＩ用コイルに対して電気的ロードとなるロード材料を含んだロードパッドを貼り付け、貼り付けるロードパッドの数、種類および場所の少なくとも一つを変えて前記ＭＲＩ用コイルから見た前記ＭＲＩ用ファントムの電気的ロードの大きさを調整することを特徴とするＭＲＩ用ファントムの電気的ロード調整方法。
【請求項５】
ＭＲ信号発生材料を含むと共に管路を有するＭＲＩ用ファントムと、前記ＭＲ信号発生材料に比べるとＭＲ信号を発生せず且つＭＲＩ用コイルに対して電気的ロードとなるロード材料を含んだロード液を前記管路に充填すると共に前記管路に充填する前記ロード液の量および種類の少なくとも一方を変えることが出来るロード液充填手段とを具備したことを特徴とするＭＲＩ用ファントム装置。
【請求項６】
ＭＲ信号発生材料を含むと共に多数の挿入孔を有するＭＲＩ用ファントムと、前記ＭＲ信号発生材料に比べるとＭＲ信号を発生せず且つＭＲＩ用コイルに対して電気的ロードとなるロード材料を含むと共に前記挿入孔に挿入されうるロードロッドとを具備したことを特徴とするＭＲＩ用ファントム装置。
【請求項７】
ＭＲ信号発生材料を含むＭＲＩ用ファントムと、前記ＭＲ信号発生材料に比べるとＭＲ信号を発生せず且つＭＲＩ用コイルに対して電気的ロードとなるロード材料を含むと共に前記ＭＲＩ用ファントムに嵌めうるロードリングとを具備したことを特徴とするＭＲＩ用ファントム装置。
【請求項８】
ＭＲ信号発生材料を含むＭＲＩ用ファントムと、前記ＭＲ信号発生材料に比べるとＭＲ信号を発生せず且つＭＲＩ用コイルに対して電気的ロードとなるロード材料を含むと共に前記ＭＲＩ用ファントムに貼り付けうるロードパッドとを具備したことを特徴とするＭＲＩ用ファントム装置。
【請求項９】
ＭＲ信号発生材料を含むＭＲＩ用ファントムに面したＭＲＩ用コイルの表面に、ＭＲ信号発生材料に比べるとＭＲ信号を発生せず且つ前記ＭＲＩ用コイルに対して電気的ロードとなるロード材料を含んだロードパッドを貼り付け、貼り付けるロードパッドの数、種類および場所の少なくとも一つを変えて前記ＭＲＩ用コイルから見た前記ＭＲＩ用ファントムの電気的ロードの大きさを調整することを特徴とするＭＲＩ用ファントムの電気的ロード調整方法。
【発明の詳細な説明】
【技術分野】
【０００１】
本発明は、ＭＲＩ（Magnetic Resonance Imaging）用ファントムの電気的ロード調整方法およびＭＲＩ用ファントム装置に関し、さらに詳しくは、ＭＲ信号を受信してのＭＲＩ用コイルの性能評価を行うことが出来ると共にＭＲＩ用コイルから見たＭＲＩ用ファントムの電気的ロードの大きさを簡便に調整することが出来るＭＲＩ用ファントムの電気的ロード調整方法およびＭＲＩ用ファントム装置に関する。
【背景技術】
【０００２】
従来、ＭＲ信号発生材料液を滞留させる液溜空間と、その液溜空間にＭＲ信号発生材料液を流通させる流路とを備えたＭＲＩ用ファントムが知られている（例えば特許文献１参照。）。
他方、ＭＲＩ用コイルから見て電気的ロードとなるＭＲＩ用ファントムが知られている（例えば特許文献２参照。）。
【特許文献１】特開２００６−１０２０１９号公報
【特許文献２】特開平６−５９００７号公報
【発明の開示】
【発明が解決しようとする課題】
【０００３】
ＭＲＩ用ファントムを用いたＭＲＩ用コイル（例えばサーフェイスコイル）の性能評価においては、そのＭＲＩ用コイルから見たＭＲＩ用ファントムの電気的ロードの大きさが人体相当となるようにする必要がある。
しかし、ＭＲＩ用コイルの種類によって人体相当の電気的ロードの大きさは異なる。このため、ＭＲＩ用コイルの種類ごとに人体相当の電気的ロードを持つＭＲＩ用ファントムを用意しなければならない問題点があった。
なお、上記特許文献１に記載のＭＲＩ用ファントムでは、濃度の異なるＭＲ信号発生材料液への交換は容易に行うことが出来たが、ＭＲＩ用コイルから見た電気的ロードの大きさのみを調整することは出来ない。
また、上記特許文献２に記載のＭＲＩ用ファントムは、ＭＲＩ用コイルの電気的ロードとなるだけであり、ＭＲ信号発生材料を含まないため、ＭＲ信号を受信してのＭＲＩ用コイルの性能評価を行うことは出来ない。
そこで、本発明の目的は、ＭＲ信号を受信してのＭＲＩ用コイルの性能評価を行うことが出来ると共にＭＲＩ用コイルから見たＭＲＩ用ファントムの電気的ロードの大きさを簡便に調整することが出来るＭＲＩ用ファントムの電気的ロード調整方法及びＭＲＩ用ファントム装置を提供することにある。
【課題を解決するための手段】
【０００４】
第１の観点では、本発明は、ＭＲ信号発生材料を含むＭＲＩ用ファントムに管路を設け、前記ＭＲ信号発生材料に比べるとＭＲ信号を発生せず且つＭＲＩ用コイルに対して電気的ロードとなるロード材料を含んだロード液を前記管路に充填し、前記管路に充填する前記ロード液の量および種類の少なくとも一方を変えて前記ＭＲＩ用コイルから見た前記ＭＲＩ用ファントムの電気的ロードの大きさを調整することを特徴とするＭＲＩ用ファントムの電気的ロード調整方法を提供する。
上記第１の観点によるＭＲＩ用ファントムの電気的ロード調整方法では、ＭＲ信号発生材料を含むＭＲＩ用ファントムを用いるから、ＭＲ信号を受信してのＭＲＩ用コイルの性能評価を行うことが出来る。そして、ＭＲＩ用ファントムに設けた管路に充填するロード液の量および種類の少なくとも一方を変えることにより、ＭＲＩ用コイルから見たＭＲＩ用ファントムの電気的ロードの大きさを簡便に調整することが出来る。
【０００５】
第２の観点では、本発明は、ＭＲ信号発生材料を含むＭＲＩ用ファントムに多数の挿入孔を設け、前記ＭＲ信号発生材料に比べるとＭＲ信号を発生せず且つＭＲＩ用コイルに対して電気的ロードとなるロード材料を含んだロードロッドを前記挿入孔に挿入し、挿入するロードロッドの数、種類および場所の少なくとも一つを変えて前記ＭＲＩ用コイルから見た前記ＭＲＩ用ファントムの電気的ロードの大きさを調整することを特徴とするＭＲＩ用ファントムの電気的ロード調整方法を提供する。
上記第２の観点によるＭＲＩ用ファントムの電気的ロード調整方法では、ＭＲ信号発生材料を含むＭＲＩ用ファントムを用いるから、ＭＲ信号を受信してのＭＲＩ用コイルの性能評価を行うことが出来る。そして、ＭＲＩ用ファントムに設けた多数の挿入孔に挿入するロードロッドの数、種類および場所の少なくとも一つを変えることにより、ＭＲＩ用コイルから見たＭＲＩ用ファントムの電気的ロードの大きさを簡便に調整することが出来る。
【０００６】
第３の観点では、本発明は、ＭＲ信号発生材料を含むＭＲＩ用ファントムに、前記ＭＲ信号発生材料に比べるとＭＲ信号を発生せず且つＭＲＩ用コイルに対して電気的ロードとなるロード材料を含んだロードリングを嵌め、嵌めるロードリングの数、種類および場所の少なくとも一つを変えて前記ＭＲＩ用コイルから見た前記ＭＲＩ用ファントムの電気的ロードの大きさを調整することを特徴とするＭＲＩ用ファントムの電気的ロード調整方法を提供する。
上記第３の観点によるＭＲＩ用ファントムの電気的ロード調整方法では、ＭＲ信号発生材料を含むＭＲＩ用ファントムを用いるから、ＭＲ信号を受信してのＭＲＩ用コイルの性能評価を行うことが出来る。そして、ＭＲＩ用ファントムに嵌めるロードリングの数、種類および場所の少なくとも一つを変えることにより、ＭＲＩ用コイルから見たＭＲＩ用ファントムの電気的ロードの大きさを簡便に調整することが出来る。
【０００７】
第４の観点では、本発明は、ＭＲ信号発生材料を含むＭＲＩ用ファントムに、前記ＭＲ信号発生材料に比べるとＭＲ信号を発生せず且つＭＲＩ用コイルに対して電気的ロードとなるロード材料を含んだロードパッドを貼り付け、貼り付けるロードパッドの数、種類および場所の少なくとも一つを変えて前記ＭＲＩ用コイルから見た前記ＭＲＩ用ファントムの電気的ロードの大きさを調整することを特徴とするＭＲＩ用ファントムの電気的ロード調整方法を提供する。
上記第４の観点によるＭＲＩ用ファントムの電気的ロード調整方法では、ＭＲ信号発生材料を含むＭＲＩ用ファントムを用いるから、ＭＲ信号を受信してのＭＲＩ用コイルの性能評価を行うことが出来る。そして、ＭＲＩ用ファントムに貼り付けるロードパッドの数、種類および場所の少なくとも一つを変えることにより、ＭＲＩ用コイルから見たＭＲＩ用ファントムの電気的ロードの大きさを簡便に調整することが出来る。
【０００８】
第５の観点では、本発明は、ＭＲ信号発生材料を含むと共に管路を有するＭＲＩ用ファントムと、前記ＭＲ信号発生材料に比べるとＭＲ信号を発生せず且つＭＲＩ用コイルに対して電気的ロードとなるロード材料を含んだロード液を前記管路に充填すると共に前記管路に充填する前記ロード液の量および種類の少なくとも一方を変えることが出来るロード液充填手段とを具備したことを特徴とするＭＲＩ用ファントム装置を提供する。
上記第５の観点によるＭＲＩ用ファントム装置では、ＭＲ信号発生材料を含むＭＲＩ用ファントムを用いるから、ＭＲ信号を受信してのＭＲＩ用コイルの性能評価を行うことが出来る。そして、ＭＲＩ用ファントムに設けた管路に充填するロード液の量および種類の少なくとも一方を変えることにより、ＭＲＩ用コイルから見たＭＲＩ用ファントムの電気的ロードの大きさを簡便に調整することが出来る。
【０００９】
第６の観点では、本発明は、ＭＲ信号発生材料を含むと共に多数の挿入孔を有するＭＲＩ用ファントムと、前記ＭＲ信号発生材料に比べるとＭＲ信号を発生せず且つＭＲＩ用コイルに対して電気的ロードとなるロード材料を含むと共に前記挿入孔に挿入されうるロードロッドとを具備したことを特徴とするＭＲＩ用ファントム装置を提供する。
上記第６の観点によるＭＲＩ用ファントム装置では、ＭＲ信号発生材料を含むＭＲＩ用ファントムを用いるから、ＭＲ信号を受信してのＭＲＩ用コイルの性能評価を行うことが出来る。そして、ＭＲＩ用ファントムに設けた多数の挿入孔に挿入するロードロッドの数、種類および場所の少なくとも一つを変えることにより、ＭＲＩ用コイルから見たＭＲＩ用ファントムの電気的ロードの大きさを簡便に調整することが出来る。
【００１０】
第７の観点では、本発明は、ＭＲ信号発生材料を含むＭＲＩ用ファントムと、前記ＭＲ信号発生材料に比べるとＭＲ信号を発生せず且つＭＲＩ用コイルに対して電気的ロードとなるロード材料を含むと共に前記ＭＲＩ用ファントムに嵌めうるロードリングとを具備したことを特徴とするＭＲＩ用ファントム装置を提供する。
上記第７の観点によるＭＲＩ用ファントム装置では、ＭＲ信号発生材料を含むＭＲＩ用ファントムを用いるから、ＭＲ信号を受信してのＭＲＩ用コイルの性能評価を行うことが出来る。そして、ＭＲＩ用ファントムに嵌めるロードリングの数、種類および場所の少なくとも一つを変えることにより、ＭＲＩ用コイルから見たＭＲＩ用ファントムの電気的ロードの大きさを簡便に調整することが出来る。
【００１１】
第８の観点では、本発明は、ＭＲ信号発生材料を含むＭＲＩ用ファントムと、前記ＭＲ信号発生材料に比べるとＭＲ信号を発生せず且つＭＲＩ用コイルに対して電気的ロードとなるロード材料を含むと共に前記ＭＲＩ用ファントムに貼り付けうるロードパッドとを具備したことを特徴とするＭＲＩ用ファントム装置を提供する。
上記第８の観点によるＭＲＩ用ファントム装置では、ＭＲ信号発生材料を含むＭＲＩ用ファントムを用いるから、ＭＲ信号を受信してのＭＲＩ用コイルの性能評価を行うことが出来る。そして、ＭＲＩ用ファントムに貼り付けるロードパッドの数および種類の少なくとも一方を変えることにより、ＭＲＩ用コイルから見たＭＲＩ用ファントムの電気的ロードの大きさを簡便に調整することが出来る。
【００１２】
第９の観点では、本発明は、ＭＲ信号発生材料を含むＭＲＩ用ファントムに面したＭＲＩ用コイルの表面に、ＭＲ信号発生材料に比べるとＭＲ信号を発生せず且つ前記ＭＲＩ用コイルに対して電気的ロードとなるロード材料を含んだロードパッドを貼り付け、貼り付けるロードパッドの数、種類および場所の少なくとも一つを変えて前記ＭＲＩ用コイルから見た前記ＭＲＩ用ファントムの電気的ロードの大きさを調整することを特徴とするＭＲＩ用ファントムの電気的ロード調整方法を提供する。
上記第９の観点によるＭＲＩ用ファントムの電気的ロード調整方法では、ＭＲ信号発生材料を含むＭＲＩ用ファントムを用いるから、ＭＲ信号を受信してのＭＲＩ用コイルの性能評価を行うことが出来る。そして、ＭＲＩ用ファントムに面したＭＲＩ用コイルの表面に貼り付けるロードパッドの数、種類および場所の少なくとも一つを変えることにより、ＭＲＩ用コイルから見たＭＲＩ用ファントムの電気的ロードの大きさを簡便に調整することが出来る。
【発明の効果】
【００１３】
本発明のＭＲＩ用ファントムの電気的ロード調整方法およびＭＲＩ用ファントム装置によれば、ＭＲ信号を受信してのＭＲＩ用コイルの性能評価を行うことが出来る。そして、ＭＲＩ用コイルから見たＭＲＩ用ファントムの電気的ロードの大きさを簡便に調整することが出来る。
【発明を実施するための最良の形態】
【００１４】
以下、図に示す実施の形態により本発明をさらに詳細に説明する。なお、これにより本発明が限定されるものではない。
【実施例１】
【００１５】
図１は、実施例１に係るＭＲＩ用ファントム装置１０１の構成を示す模式図である。
このＭＲＩ用ファントム装置１０１は、ＭＲ信号発生材料を含むと共に管路２１を有するＭＲＩ用ファントム１と、ＭＲ信号発生材料に比べるとＭＲ信号を発生せず且つＭＲＩ用コイルに対して電気的ロードとなるロード材料を含んだロード液３１ａを管路２１に充填するためのバッグ３１ｂとを具備している。
【００１６】
ＭＲ信号発生材料は、例えば塩化ニッケル水溶液や硫酸銅水溶液に食塩などの電解質を加えたものである。
ロード液３１ａは、例えば塩水である。
【００１７】
図１に示すように、ＭＲＩ用ファントム１より高い位置にバッグ３１ｂを吊し、第１コック３１ｃを閉、第２コック３１ｄを開、第３コック３１ｅを開とすれば、バッグ３１ｂから管路２１へ重力によりロード液３１ａを供給することが出来る。適当な供給量になった時に第１コック３１ｃを閉、第２コック３１ｄを閉、第３コック３１ｅを閉とする。
【００１８】
図２に示すように、ＭＲＩ用ファントム１より低い位置にバッグ３１ｂを置き、第１コック３１ｃを開、第２コック３１ｄを閉、第３コック３１ｅを開とすれば、管路２１からバッグ３１ｂへ重力によりロード液３１ａを戻すことが出来る。
【００１９】
実施例１のＭＲＩ用ファントム装置１０１によれば、ＭＲ信号発生材料を含むＭＲＩ用ファントム１を用いるため、ＭＲ信号を受信してのＭＲＩ用コイルの性能評価を行うことが出来る。また、管路２１に充填するロード液３１ａの量を調節することにより、ＭＲＩ用コイルから見たＭＲＩ用ファントム１の電気的ロードの大きさを簡便に調整することが出来る。
【００２０】
なお、電動ポンプを用いて管路２１に対するロード液３１ａの供給／排出を行うように変形してもよい。また、濃度の異なる塩水の入った複数のバッグ３１ｂの一つを流路切替弁で選択して管路２１に対するロード液３１ａの供給／排出を行うように変形してもよい。
【実施例２】
【００２１】
図３は、実施例２に係るＭＲＩ用ファントム装置１０２の構成を示す斜視図である。
このＭＲＩ用ファントム装置１０２は、ＭＲ信号発生材料を含むＭＲＩ用ファントム１と、多数の挿入孔２２ａを有し且つＭＲＩ用ファントム１の外周に一体的に装着されたジャケット２２ｂと、ＭＲ信号発生材料に比べるとＭＲ信号を発生せず且つＭＲＩ用コイルに対して電気的ロードとなるロード材料を含むと共に挿入孔２２ａに挿入しうるロードロッド３２とを具備している。
【００２２】
ＭＲ信号発生材料は、例えば塩化ニッケル水溶液や硫酸銅水溶液に食塩などの電解質を加えたものである。
ロードロッド３２は、例えば塩水を入れたチューブである。
【００２３】
実施例２のＭＲＩ用ファントム装置１０２によれば、ＭＲ信号発生材料を含むＭＲＩ用ファントム１を用いるため、ＭＲ信号を受信してのＭＲＩ用コイルの性能評価を行うことが出来る。また、挿入孔２２ａに挿入するロードロッド３２の数および場所を調節することにより（図３では、６本のロードロッド３２を一つ飛びの挿入孔２２ａに挿入している）、ＭＲＩ用コイルから見たＭＲＩ用ファントム１の電気的ロードの大きさを簡便に調整することが出来る。
【００２４】
なお、例えば濃度の異なる塩水を入れた複数種類のロードロッド３２を用意しておけば、挿入孔２２ａに挿入するロードロッド３２の種類を変えることによっても、ＭＲＩ用コイルから見たＭＲＩ用ファントム１の電気的ロードの大きさを簡便に調整することが出来る。
【実施例３】
【００２５】
図４は、実施例３に係るＭＲＩ用ファントム装置１０３の構成を示す斜視図である。
このＭＲＩ用ファントム装置１０３は、ＭＲ信号発生材料を含むＭＲＩ用ファントム１と、ＭＲ信号発生材料に比べるとＭＲ信号を発生せず且つＭＲＩ用コイルに対して電気的ロードとなるロード材料を含むと共に弾性力でＭＲＩ用ファントム１の外周に嵌めうるロードリング３３とを具備している。
【００２６】
ＭＲ信号発生材料は、例えば塩化ニッケル水溶液や硫酸銅水溶液に食塩などの電解質を加えたものである。
ロードリング３３は、例えば塩水を入れた輪状チューブである。
【００２７】
実施例３のＭＲＩ用ファントム装置１０３によれば、ＭＲ信号発生材料を含むＭＲＩ用ファントム１を用いるため、ＭＲ信号を受信してのＭＲＩ用コイルの性能評価を行うことが出来る。また、ＭＲＩ用ファントム１に嵌めるロードリング３３の数および場所を調節することにより（図４では、３本のロードリング３３をＭＲＩ用ファントム１の中央と両端に嵌めている）、ＭＲＩ用コイルから見たＭＲＩ用ファントム１の電気的ロードの大きさを簡便に調整することが出来る。
【００２８】
なお、例えば濃度の異なる塩水を入れた複数種類のロードリング３３を用意しておけば、ＭＲＩ用ファントム１に嵌めるロードリング３３の種類を変えることによっても、ＭＲＩ用コイルから見たＭＲＩ用ファントム１の電気的ロードの大きさを簡便に調整することが出来る。
【実施例４】
【００２９】
図５は、実施例４に係るＭＲＩ用ファントム装置１０４の構成を示す斜視図である。
このＭＲＩ用ファントム装置１０４は、ＭＲ信号発生材料を含むＭＲＩ用ファントム１と、ＭＲ信号発生材料に比べるとＭＲ信号を発生せず且つＭＲＩ用コイルに対して電気的ロードとなるロード材料を含むと共に粘着テープなどでＭＲＩ用ファントム１の外周に貼り付けうるロードパッド３４とを具備している。
【００３０】
ＭＲ信号発生材料は、例えば塩化ニッケル水溶液や硫酸銅水溶液に食塩などの電解質を加えたものである。
ロードパッド３４は、例えば塩水を入れた扁平な袋である。
【００３１】
実施例４のＭＲＩ用ファントム装置１０４によれば、ＭＲ信号発生材料を含むＭＲＩ用ファントム１を用いるため、ＭＲ信号を受信してのＭＲＩ用コイルの性能評価を行うことが出来る。また、ＭＲＩ用ファントム１に貼り付けるロードパッド３４の数および場所を調節することにより（図５では、６個のロードパッド３４をＭＲＩ用ファントム１の中央と両端に貼り付けている）、ＭＲＩ用コイルから見たＭＲＩ用ファントム１の電気的ロードの大きさを簡便に調整することが出来る。
【００３２】
なお、例えば濃度の異なる塩水を入れた複数種類のロードパッド３４を用意しておけば、ＭＲＩ用ファントム１に貼り付けるロードパッド３４の種類を変えることによっても、ＭＲＩ用コイルから見たＭＲＩ用ファントム１の電気的ロードの大きさを簡便に調整することが出来る。
【実施例５】
【００３３】
図６は、実施例５に係るＭＲＩ用ファントムの電気的ロード調整方法を示す説明図である。
ＭＲＩ用コイル４は、円筒状である。
ロードパッド３５は、ＭＲＩ用コイル４に対して電気的ロードとなるロード材料を含むと共に粘着テープなどでＭＲＩ用コイル４の内周面に貼り付けうる。
【００３４】
ＭＲ信号発生材料は、例えば塩化ニッケル水溶液や硫酸銅水溶液に食塩などの電解質を加えたものである。
ロードパッド３５は、例えば塩水を入れた扁平な袋である。
【００３５】
ＭＲ信号発生材料を含むＭＲＩ用ファントム１をＭＲＩ用コイル４の内部に設置すれば、ＭＲ信号を受信してのＭＲＩ用コイル４の性能評価を行うことが出来る。また、ＭＲＩ用コイル４に貼り付けるロードパッド３５の数および場所を調節することにより（図６では、６個のロードパッド３５をＭＲＩ用コイル４の内周面の中央と両端に貼り付けている）、ＭＲＩ用コイル４から見たＭＲＩ用ファントム１の電気的ロードの大きさを簡便に調整することが出来る。
【００３６】
なお、例えば濃度の異なる塩水を入れた複数種類のロードパッド３５を用意しておけば、ＭＲＩ用コイル４に貼り付けるロードパッド３５の種類を変えることによっても、ＭＲＩ用コイル４から見たＭＲＩ用ファントム１の電気的ロードの大きさを簡便に調整することが出来る。
【産業上の利用可能性】
【００３７】
本発明のＭＲＩ用ファントムの電気的ロード調整方法およびＭＲＩ用ファントム装置は、ＭＲＩ用コイルの性能評価を行うのに利用できる。
【図面の簡単な説明】
【００３８】
【図１】実施例１に係るＭＲＩ用ファントム装置の構成（給液時）を示す模式図である。
【図２】実施例１に係るＭＲＩ用ファントム装置の構成（排液時）を示す模式図である。
【図３】実施例２に係るＭＲＩ用ファントム装置の構成を示す斜視図である。
【図４】実施例３に係るＭＲＩ用ファントム装置の構成を示す斜視図である。
【図５】実施例４に係るＭＲＩ用ファントム装置の構成を示す斜視図である。
【図６】実施例５に係るＭＲＩ用ファントムの電気的ロード調整方法を示す説明図である。
【符号の説明】
【００３９】
１                    ＭＲＩ用ファントム
４                    ＭＲＩ用コイル
２１                  管路
２２ａ                挿入孔
３１ａ                ロード液
３２                  ロードロッド
３３                  ロードリング
３４、３５            ロードパッド
１０１〜１０４        ＭＲＩ用ファントム装置
【図１】
2008136586.tif 000003
【図２】
2008136586.tif 000004
【図３】
2008136586.tif 000005
【図４】
2008136586.tif 000006
【図５】
2008136586.tif 000007
【図６】
2008136586.tif 000008